(57)【要約】【課題】  デジタル回路を内蔵し、かつ、このデジタル回路から発生される電波の外部への漏洩が防止されたスピーカを提供する。【解決手段】  スピーカユニット２１および２２は、各々振動板を筐体１０の前面から露出させた状態で、２個の開口部に嵌め込まれている。筐体１０の背面内側には、プリント基板３０が取り付けられており、これには、スピーカユニットの振動板の駆動制御のためのデジタル信号処理を行うデジタル回路が実装されている。筐体１０の前面には導電性のフロントグリル４０が固定されている。これは、振動板を保護することに加えて、デジタル回路から発生する電波がスピーカ外部へ漏洩するのを防止する役割を果たす。【選択図】            図１
2006067008.tif 000002
【特許請求の範囲】
【請求項１】
前面に開口部を有する導電性の筐体と、
振動板を有し、この振動板を前記開口部から露出させた状態で前記筐体内に収容したスピーカユニットと、
前記筐体内に収容され、前記振動板の駆動制御のためのデジタル信号処理を行うデジタル回路と、
前記開口部から露出した振動板を覆い、前記筐体に電気的に接続された導電性のフロントグリルと
を具備することを特徴とするスピーカ。
【発明の詳細な説明】
【技術分野】
【０００１】
本発明は、漏洩電波の低減を図ったスピーカに関する。
【背景技術】
【０００２】
周知の通り、スピーカは、振動板を電磁駆動するための駆動回路を有している。この駆動回路が振動板を駆動する際には、駆動回路から振動板の駆動用コイルに流す電流の時間的変化により電波が発生する。この電波がスピーカの外部に漏洩すると、周辺の電子機器に誤動作などの悪影響を及ぼす可能性がある。このような電波の漏洩を防止するための一手段として、スピーカの筐体を導電性材料により構成する、という方法がある。
【発明の開示】
【発明が解決しようとする課題】
【０００３】
上記従来の技術によれば、筐体を導電性材料により構成することにより、スピーカの内部において発生した電波の外部への漏洩をある程度防止することができる。しかしながら、スピーカの筐体には振動板を固定するための開口部が設けられており、この開口部を経由した外部への電波の漏洩が起こりうる。特にスピーカ内部において比較的周波数の高い信号が発生した場合に、それによって発生する電波が開口部を通過し、比較的遠距離まで到達し得る。この電波の漏洩の程度は、スピーカ内部において発生する信号の周波数が高くなる程大きくなる。従来、この問題があったため、特にデジタル回路など、高い周波数成分を持ったノイズを発生する回路をスピーカ内部に実装することは困難であった。
【０００４】
この発明は、以上説明した事情に鑑みてなされたものであり、デジタル回路を内蔵し、かつ、このデジタル回路から発生される電波の外部への漏洩が防止されたスピーカを提供することを目的とする。
【課題を解決するための手段】
【０００５】
この発明は、前面に開口部を有する導電性の筐体と、振動板を有し、この振動板を前記開口部から露出させた状態で前記筐体内に収容したスピーカユニットと、前記筐体内に収容され、前記振動板の駆動制御のためのデジタル信号処理を行うデジタル回路と、前記開口部から露出した振動板を覆い、前記筐体に電気的に接続された導電性のフロントグリルとを具備することを特徴とするスピーカを提供する。
かかる発明によれば、デジタル回路から発生した電波が、導電性の筐体とフロントグリルとにより遮蔽されるため、スピーカ外部への電波の漏洩が防止される。
【発明を実施するための最良の形態】
【０００６】
図１は、この発明の一実施形態であるスピーカの構成を示す断面図である。図１において、筐体１０は、導電性材料により構成された略直方体形状の箱である。筐体１０の前面には、ツィータ用スピーカユニット２１を収容するための小さな開口部とウーハ用スピーカユニット２２を収容するための大きな開口部が上下に並んで設けられている。良く知られているように、これらのスピーカユニットは、振動板とこの振動板を駆動するための磁石やボイスコイルなどからなる駆動機構とを有している。ツィータ用スピーカユニット２１およびウーハ用スピーカユニット２２は、各々振動板を筐体１０の前面から露出させた状態で、２個の開口部に嵌め込まれている。
【０００７】
筐体１０の背面内側には、プリント基板３０が取り付けられている。このプリント基板３０には、ツィータ用スピーカユニット２１およびウーハ用スピーカユニット２２の各振動板の駆動制御のためのデジタル信号処理を行うデジタル回路が実装されている。このデジタル回路は、いわゆるデジタルアンプであり、例えばツィータ、ウーハの各チャネルに対応したＰＣＭデジタルオーディオ信号を外部から受け取り、これら各チャネルのＰＣＭデジタルオーディオ信号により各々ＰＷＭ変調されたパルス列を発生し、これらのパルス列によりツィータ用スピーカユニット２１およびウーハ用スピーカユニット２２の各々のボイスコイルを駆動する。
【０００８】
フロントグリル４０は、筐体１０の前面に固定されている。良く知られているように、フロントグリルは、振動板を塵などから保護する役割を担った部材であるが、本実施形態におけるフロントグリル４０は、これ以外に、プリント基板３０に実装されたデジタル回路において発生する電波がスピーカ外部へ漏洩するのを防止する遮蔽手段としての役割を担っている。
【０００９】
図２はこのフロントグリル４０が筐体１０の前面に取り付けられる様子を示す組み立て図である。フロントグリル４０は、スピーカの前方に向けて張り出し、かつ、多数の細かい孔を有する防護ネット部４０Ａと、この防護ネット部４０Ａの周囲を囲む平坦なグリル枠４０Ｂとにより構成されている。フロントグリル４０は、遮蔽手段としての役割を果たすため、防護ネット部４０Ａおよびグリル枠４０Ｂの両方がパンチングメタルなどの導電性材料により構成されている。そして、フロントグリル４０は、筐体１０の前面から露出したツィータ用スピーカユニット２１およびウーハ用スピーカユニット２２の振動板を防護ネット部４０Ａにより覆い、その周囲のグリル枠４０Ｂの裏面を筐体１０の前面に面接触させた状態で筐体１０に固定される。
【００１０】
この構成によれば、筐体１０が導電性材料により構成されているため、プリント基板３０のデジタル回路において発生した電波のうち多くは、筐体１０によって遮蔽されるが、一部は、筐体１０の前面のスピーカ取り付け用開口部を通過する。しかし、このスピーカ取り付け用開口部を通過した電波も、導電性材料により構成されたフロントグリル４０により遮蔽され、外部への漏洩が防止される。
【００１１】
筐体１０内部で発生した電波の漏洩防止を強化するためには、筐体１０とフロントグリル４０との導電性を高めることが好ましい。このため、好ましい態様では、ボンディングネジ５０によりグリル枠４０Ｂが筐体１０に固定される。このボンディングネジ５０は、全体が導電性材料により構成されており、ネジ頭の裏側部分に歯が設けられている。本実施形態では、ボンディングネジ５０の雄ネジ部分をグリル枠４０Ｂおよび筐体１０に穿設された雌ネジ孔に螺号させることにより、フロントグリル４０が筐体１０に固定される。その際、ボンディングネジ５０のネジ頭の裏側の歯が筐体１０の表面に食い込むため、フロントグリル４０を高い導電率で筐体１０に電気的に接続することができる。
【００１２】
この態様においては、グリル枠４０Ｂにおける適当なピッチを空けて並んだ複数箇所がボンディングネジ５０により筐体１０に固定される。ボンディングネジ５０間のピッチを短くし、多数のボンディングネジ５０によりフロントグリル４０を筐体１０に固定すると、フロントグリル４０と筐体１０との間の導電性を高め、かつ、グリル枠４０Ｂと筐体１０の表面との隙間を減らすことができるので、電波の漏洩防止の効果を高めることができる。しかし、製造コストを低下させるためには、ボンディングネジ５０の個数を増やさない方がよい。また、デジタル回路が発生するノイズの周波数が低い場合あるいは電力が低い場合には、多数のボンディングネジ５０を使用しなくても、スピーカ外部に漏洩する電波の強度を十分に低減することが可能である。従って、どの程度の個数のボンディングネジ５０を使用するかは、製造コスト、必要とされる電波漏洩防止の程度、デジタル回路が発生するノイズの周波数および電力を比較考量して決定すればよい。
【００１３】
別の好ましい態様では、上記のようにボンディングネジ５０を使用することに加えて、グリル枠４０Ｂの裏面における筐体１０と面接触する部分と、筐体１０の表面におけるグリル枠４０Ｂの裏面と面接触する部分について、例えばニッケルメッキを施すなど、接触抵抗を低下させて導電性を高めることができる表面仕上げがなされる。この態様によれば、グリル枠４０Ｂと筐体１０とが高い導電率で面接触するため、グリル枠４０Ｂと筐体１０との境界部分を経由した電波の漏洩を防止することができる。なお、この表面仕上げを行うことに加えて、面接触するグリル枠４０Ｂの裏面あるいは筐体１０の表面の少なくとも一方に、接触時に導電性を高めるために、導電性のテープを貼り付けてもよい。
【図面の簡単な説明】
【００１４】
【図１】この発明の一実施形態であるスピーカの構成を示す断面図である。
【図２】同スピーカの組み立て図である。
【符号の説明】
【００１５】
１０……筐体、２１……ツィータ用スピーカユニット、２２……ウーハ用スピーカ、３０……プリント基板、４０……フロントグリル、５０……ボンディングネジ。
【図１】
2006067008.tif 000003
【図２】
2006067008.tif 000004